(57)【特許請求の範囲】
【請求項１】
流体の圧力より洗浄ノズルを突出させ人体局部に向け洗浄水を噴出するノズル手段と、洗浄水に空気を混入する空気混入手段と、浄水量を測定する洗浄水量測定手段と、前記空気混入手段の動作を制御する制御手段とを具備し、この制御手段は、洗浄開始時に前記洗浄水量測定手段により所定の水量が検出された後に、空気混入手段を動作させ洗浄ノズルを突出させることを特徴とした衛生洗浄装置。
【請求項２】
空気混入手段の空気量を洗浄水量測定手段の洗浄水量値に応じて調整した請求項１記載の衛生洗浄装置。
【請求項３】
洗浄水量測定手段による洗浄水量の累積値が所定の値に達した後に、空気混入手段を停止させるようにした請求項１に記載の衛生洗浄装置。
【請求項４】
流体の圧力より洗浄ノズルを突出させ人体局部に向け洗浄水を噴出するノズル手段と、洗浄水に空気を混入する空気混入手段と、洗浄時間を測定する洗浄時間測定手段と、前記空気混入手段の動作を制御する制御手段とを有し、この制御手段は、洗浄開始時に、前記洗浄時間測定手段により測定された洗浄開始からの時間が所定値経過した後に、空気混入手段を動作させ、洗浄ノズルを突出させることを特徴とした衛生洗浄装置。
【請求項５】
洗浄開始時の空気混入手段の空気量を洗浄時間測定手段からの経過時間に応じて調整するようにした請求項４に記載の衛生洗浄装置。
【発明の詳細な説明】
【０００１】
【発明の属する技術分野】
本発明は、人体局部に向け洗浄水を噴出する衛生洗浄装置の制御に関するものである。
【０００２】
【従来の技術】
従来、この種の衛生洗浄装置を、図８、図９を用いて説明する。図８で示すように衛生洗浄装置は、使用者が着座する便座１と、瞬間的に少量の洗浄水を加熱する加熱手段５と、各機能の操作をする操作部２と、衛生洗浄装置を制御する制御手段３と、洗浄水を人体局部に噴出するスライド式の洗浄ノズル７と、局部洗浄時に  洗浄ノズル７を洗浄位置まで突出させるノズル駆動手段９で構成され、使用者が操作部２を操作することにより人体局部洗浄が開始し、加熱手段５によって加熱された洗浄水をノズル駆動手段９によって洗浄ノズル７を洗浄位置に突出させた後にノズル先端の噴出孔８から洗浄水を噴出するように構成されていた。
【０００３】
図９は洗浄ノズル７への洗浄水の供給系を示す概略図であり、洗浄水の流量調整機能を持つ洗浄水量調整弁１０、洗浄水を瞬間的に加熱する加熱手段５、洗浄ノズル７を洗浄位置まで突出させるノズル駆動手段９及び制御手段３を備え、加熱手段５と洗浄ノズル７との間には洗浄水量調整弁１０を組み込んでいる。
【０００４】
洗浄ノズル７は傾斜した中空体であり、そのノズル先端に複数の噴出孔８を開けたものである。このため、洗浄終了時に洗浄ノズル内部に残った洗浄水を自然落下によりノズル先端の噴出孔８から排出することができる。
【０００５】
【発明が解決しようとする課題】
しかしながら、前記従来の構成では、瞬間的に加熱することにより洗浄を行う場合には少量の洗浄水で所望の洗浄力を得る必要があり、空気を強制的に混入したり、脈動により瞬間的な洗浄水の速度を上げるなど様々な工夫がなされていた。
【０００６】
しかし、洗浄水量が少量であるため洗浄開始時に、洗浄ノズルを洗浄水の水圧にて洗浄位置まで突出させることができなかった。
【０００７】
このため、モータなどを用いたノズル駆動手段を設け洗浄位置まで洗浄ノズルを突出させていた。一方、衛生洗浄装置内にノズル駆動手段を実装すると衛生洗浄装置が小型化できないという課題を有していた。
【０００８】
本発明は、前記従来の課題を解決するもので、洗浄水に空気混入手段からの空気を混入させさせることにより、少流量の洗浄水でも確実に洗浄ノズルを突出させることを目的とする。
【０００９】
【課題を解決するための手段】
前記従来の課題を解決するために、本発明の衛生洗浄装置は、流体の圧力より洗浄ノズルを突出させ人体局部に向け洗浄水を噴出するノズル手段と、洗浄水に空気を混入する空気混入手段と、浄水量を測定する洗浄水量測定手段と、前記空気混入手段の動作を制御する制御手段とを具備し、この制御手段は、洗浄開始時に前記洗浄水量測定手段により所定の水量が検出された後に、空気混入手段を動作させ洗浄ノズルを突出させるようにしたものである。
【００１０】
【発明の実施の形態】
本発明の衛生洗浄装置は、流体の圧力より洗浄ノズルを突出させ人体局部に向け洗浄水を噴出するノズル手段と、洗浄水に空気を混入する空気混入手段と、浄水量を測定する洗浄水量測定手段と、前記空気混入手段の動作を制御する制御手段とを具備し、この制御手段は、洗浄開始時に前記洗浄水量測定手段により所定の水量が検出された後に、空気混入手段を動作させ洗浄ノズルを突出させるようにしたものである。
【００１１】
したがって、洗浄開始時に低水量でも洗浄ノズルを突出させることができ、使用者に安定した局部洗浄を提供するものである。
【００１２】
前記空気混入手段の空気量は洗浄水量測定手段の洗浄水量値に応じて調整するのが望ましく、また、洗浄水量測定手段による洗浄水量の累積値が所定の値に達した後に、空気混入手段を停止させる。
【００１３】
さらに、流体の圧力より洗浄ノズルを突出させ人体局部に向け洗浄水を噴出するノズル手段と、洗浄水に空気を混入する空気混入手段と、洗浄時間を測定する洗浄時間測定手段と、前記空気混入手段の動作を制御する制御手段とを有し、この制御手段は、洗浄開始時に、前記洗浄時間測定手段により測定された洗浄開始からの時間が所定値経過した後に、空気混入手段を動作させ、洗浄ノズルを突出させるようにしたものである。
【００１４】
そして、洗浄開始時の空気混入手段の空気量は洗浄時間測定手段からの経過時間に応じて調整するようにした。
【００１５】
【実施例】
以下、本発明の実施例について図１〜図７を参照しながら説明する。
【００１６】
（実施例１）
図１〜図３において、本実施例の衛生洗浄装置は、流体の圧力にて突出する洗浄ノズル７、洗浄水量を測定する洗浄水量測定手段４、洗浄水に空気を混入する空気混入手段６、瞬間的に洗浄水１１を加熱する加熱手段５、洗浄水量測定手段４からの洗浄水量値から洗浄水１１に空気を混入させる空気混入手段６の空気量を制御する空気量制御手段３１、空気混入手段６を動作させるかどうかタイミングを判定する空気混入動作判定手段３２、洗浄開始からの洗浄流量値を累積する洗浄水量累積手段３３、空気量制御手段３１や空気混入動作判定手段３２や洗浄水量累積手段３３など衛生洗浄装置全体を制御する制御手段３で構成されている。
【００１７】
洗浄水量累積手段３３は、図２に示すように洗浄開始からの洗浄水量を累積しており、その累積値が２０ccになったとき空気混入動作判定手段３２が空気混入手段６を動作させる。このとき空気量制御手段３１は混入する空気量を６００ccに設定し、すでに洗浄ノズル７の流れ込んでいる２０ccの洗浄水１１を押し出すように空気を混入させる。
【００１８】
その後、空気量制御手段３１は空気混入手段６によって混入する空気量を洗浄水量測定手段４が検出する洗浄水量値によって図３に示すように設定する。
【００１９】
例えば、洗浄水量測定手段４の洗浄水量値が３００cc／分の場合、空気量制御手段３１が空気混入手段６により混入する空気量を３５０cc／分と設定し空気混入手段６を制御する。
【００２０】
洗浄水量累積手段３３の洗浄水量累積値が６０ccになるまで、図３のに示す関係で空気量制御手段３１は混入する空気量を制御する。
【００２１】
そして、図２に示すように洗浄開始からの洗浄水量累積値が６０ccになるまで空気混入手段６を動作させると洗浄ノズル７が洗浄位置に突出するので、洗浄水量累積値が６０ccになったとき空気混入動作判定手段３２が空気混入手段６を停止させる。
【００２２】
以上のように、本実施例においては洗浄開始時の洗浄水量累積手段３３の洗浄水量累積値を基に、空気混入動作判定手段３２が空気混入手段６の動作を制御し、更に空気混入手段６が動作中においては、洗浄水量測定手段４の洗浄水量値を基に空気量制御手段３１が混入する空気量を制御することにより、低水量でも洗浄ノズル７を洗浄位置まで突出させることにより、使用者に安定した局部洗浄を提供することができる。
【００２３】
なお、本実施例では、空気混入開始のタイミングを、洗浄水量の累積値が２０ccに達したとき、及び空気混入停止のタイミングを洗浄流量の累積値が６０ccに達したときとしているが、この累積値は使用するノズルあるいは洗浄開始時の洗浄流量によりこの値は適宜選択できるものである。
【００２４】
また、空気混入を停止しているが、強い洗浄力が必要な際には必要な量の空気混入を行うようにしてもよい。
【００２５】
（実施例２）
図４は実施例２を示し、実施例１と異なる点は、洗浄開始からの洗浄時間を測定する洗浄時間測定手段３４を設け、洗浄水量測定手段や洗浄水量累積手段を無くした点である。その他の構成要素については実施例１と同様であり、説明はその実施例１のものを援用する。
【００２６】
洗浄時間測定手段３４は、洗浄開始からの洗浄時間を測定するものである。図５は洗浄開始時に空気混入手段６が動作開始からの洗浄経過時間と空気混入手段６が洗浄水１１に混入する空気量との関係を示すものである。
【００２７】
次に、洗浄時間測定手段３４の動作を説明する。図５のように洗浄開始から洗浄時間測定手段３４は洗浄時間を測定しており、この洗浄経過時間が２秒を経過したとき空気混入動作判定手段３２が空気混入手段６を動作させる。
【００２８】
そのとき空気量制御手段３１は混入するの空気量を６００cc設定し、洗浄開始から２秒間洗浄ノズル７の流れ込んでいる洗浄水１１を押し出すように空気を混入させる。
【００２９】
その後洗浄時間測定手段３４の経過時間に応じて空気量制御手段３１は混入する空気量を６００cc／分より少なく変化させる。洗浄時間測定手段３４の洗浄経過時間が６秒経過まで空気混入手段６を動作させると洗浄ノズル７が洗浄位置に突出するので、洗浄時間測定手段３４の洗浄経過時間が６秒経過したときに空気混入動作判定手段３２が洗浄ノズル７を突出したと判断し、空気混入手段６を停止させる。
【００３０】
以上のように、本実施例においては洗浄開始時の洗浄時間測定手段３４の洗浄経過時間を基に、空気混入動作判定手段３２が空気混入手段６の動作を、空気量制御手段３１が混入する空気量を制御することにより、低水量でも洗浄ノズル７を洗浄位置まで突出させることにより、使用者に安定した局部洗浄を提供することができる。
【００３１】
（実施例３）
図６は実施例３を示し、実施例２と異なる点は、洗浄停止からの経過時間を測定する洗浄停止時間測定手段３５を設け、洗浄時間測定手段３４が無い点である。その他の構成要素については実施例２と同様であり、説明はその実施例２のものを援用する。
【００３２】
洗浄停止時間測定手段３５は、洗浄停止中の時間を測定するものであり、洗浄停止状態になってからの経過時間を測定している。
【００３３】
図７は洗浄停止時における空気混入手段６が動作開始からの停止経過時間と空気混入手段６が残った洗浄水１１に混入する空気量との関係を示すものである。
【００３４】
図７のように、洗浄停止時に空気混入動作判定手段３２が洗浄ノズル７の残った洗浄水を排出するために空気を混入する必要があると判断し、空気混入手段６を動作させる。
【００３５】
はじめの２秒間、空気量制御手段３１は混入する空気量を少しずつ増やし、その後２秒から６秒までの間は３００cc／分の空気を混入する。これにより洗浄ノズル７に残った洗浄水１１は洗浄ノズル７から押し出され全て排出することになる。
【００３６】
洗浄停止時間測定手段３５の経過時間が６秒経過したとき、空気混入動作判定手段３２は洗浄ノズル７に残った洗浄水１１をが全て排出されたと判断し空気混入手段６を停止させる。
【００３７】
このように洗浄停止時に空気混入手段６から洗浄水１１を押し出すように空気を混入することで、洗浄ノズル７に残った洗浄水を全て排出することになり、使用者が次回衛生洗浄装置を使用するときに、洗浄ノズル７に残った洗浄水が局部に噴出されることがなく、快適な局部洗浄ができる。
【００３８】
以上のように、本実施例においては洗浄停止時の空気混入手段６から洗浄ノズル７に残った洗浄水を押し出すように空気を混入することで洗浄水を全て排出することになり、使用者が次回衛生洗浄装置を使用するときも快適な局部洗浄を提供することができる。
【００３９】
【発明の効果】
以上のように、本発明によれば、洗浄ノズルを洗浄水と共に空気混入手段からの空気を混入させさせることにより、低水量の時でも洗浄ノズルを確実に突出させることができ、使用性のよい衛生洗浄装置を提供することができる。
【図面の簡単な説明】
【図１】  本発明の実施例１における衛生洗浄装置のブロック図
【図２】  本発明の実施例１における洗浄開始からの洗浄水量累積値と空気混入手段が洗浄水に混入する空気量との関係を示す特性図
【図３】  本発明の実施例１における局部洗浄時の洗浄水量と空気混入手段が洗浄水に混入する空気量との関係を示す特性図
【図４】  本発明の実施例２における衛生洗浄装置のブロック図
【図５】  本発明の実施例２における洗浄開始からの経過時間と空気混入手段が洗浄水に混入する空気量との関係を示す特性図
【図６】  本発明の実施例３における衛生洗浄装置のブロック図
【図７】  本発明の実施例３における洗浄停止からの経過時間と空気混入手段が残った洗浄水に混入する空気量との関係を示す特性図
【図８】  従来の衛生洗浄装置の概略図
【図９】  従来の衛生洗浄装置における洗浄ノズルへの洗浄水の供給系を示す概略図
【符号の説明】
３  制御手段
４  洗浄水量測定手段
６  空気混入手段
７  洗浄ノズル（ノズル手段）
１１  洗浄水
３４  洗浄時間測定手段
３５  洗浄停止時間測定手段
【図１】
0004069634.tif 000002
【図２】
0004069634.tif 000003
【図３】
0004069634.tif 000004
【図４】
0004069634.tif 000005
【図５】
0004069634.tif 000006
【図６】
0004069634.tif 000007
【図７】
0004069634.tif 000008
【図８】
0004069634.tif 000009
【図９】
0004069634.tif 000010